(57)【特許請求の範囲】
【請求項１】
室内外両方向に開閉可能な両開き扉の召し合わせ構造であって、
基端側で回動自在に支持される２枚の扉と、
前記２枚の扉の先端部に設けられた召し合わせ部とを備え、
前記召し合わせ部が、前記扉の先端部に前記扉の全高にわたって上下方向に延びるように取付けられた強磁性材料の板体と、該板体に沿って取付けられた細長いシール部材とを備え、
前記シール部材は、矩形の閉断面形状を有する基部と、可撓性材料で形成され前記基部の一側面から延びるフィンと、前記基部に収容された磁石とを備え、前記基部に収容された磁石の磁力により、前記基部の一側面と反対側の他側面が前記板体に吸着されることにより前記板体に取付けられ、
前記フィンは、前記２枚の扉が閉鎖状態にあるとき互いの先端部分が係合し、前記２枚の扉の先端部の間の間隙を塞ぐように構成されている、
ことを特徴とする両開き扉の召し合わせ構造。
【請求項２】
前記基部とフィンが一体成形されている、
請求項１に記載の両開き扉の召し合わせ構造。
【請求項３】
前記扉の先端面に、前記扉の全高にわたって上下方向に延び、前記扉の先端側に向かって開口する開口部を有する断面矩形の凹溝が形成され、
該凹溝の奥壁に、前記板体が取付けられ、
前記シール部材は、前記基部が前記凹溝内に収容され、前記フィンが前記開口から突出するように配置されている、
請求項１または２に記載の両開き扉の召し合わせ構造。
【請求項４】
前記開口部の幅が、前記シール部材の基部の幅より小さく設定されている、
請求項３に記載の両開き扉の召し合わせ構造。
【請求項５】
基端側で回動自在に支持される２枚の扉を室内外両方向に開閉可能な両開き扉の召し合わせ構造に用いられるシール部材であって、
矩形の閉断面形状を有する基部と、可撓性材料で形成され前記基部の一側面から延びるフィンと、前記基部に収容された磁石とを備え、
前記基部の一側面と反対側の他側面は、前記磁石の磁力により、前記扉の先端部に前記扉の全高にわたって上下方向に延びるように取付けられた強磁性材料の板体に吸着されることにより当該板体に取付けられ、
前記フィンは、前記２枚の扉が閉鎖状態にあるとき互いの先端部分が係合し、前記２枚の扉の先端部の間の間隙を塞ぐように構成されている、
ことを特徴とする両開き扉の召し合わせ構造用シール部材。
【発明の詳細な説明】
【技術分野】
【０００１】
本発明は、両開き扉の召し合わせ構造に関し、詳細には、室内方向および室外方向の両方向に開けることができる両開き扉の召し合わせ構造に関する。
【背景技術】
【０００２】
基端側で回動自在に支持された２枚の扉が開口部に配置される所謂両開き扉では、２枚の扉の先端側部分が対向する部分に、２枚の扉の間の隙間を塞ぐ召し合わせ構造が設けられる場合がある。
【０００３】
このような両開き扉の召し合わせ構造として、両開き扉を構成する各扉の先端部分に、扉とは別体の突出部を設け、扉が閉じられたときに両突出部が互いに重なり合うことによって、２枚の扉の間の隙間を塞ぐ構造が知られている（特許文献１参照）。
【０００４】
また、各扉の先端部に、横断面Ｖ字形状の召し合わせ材をそれぞれ取り付け、扉が閉鎖されるときに召し合わせ材が互いに係合して、２枚の扉の間の隙間を塞ぐ構造も知られている（特許文献２参照）。
【先行技術文献】
【特許文献】
【０００５】
【特許文献１】実開平２−１２２８７８公報
【特許文献２】実開昭５１−１３８３２１公報
【発明の概要】
【発明が解決しようとする課題】
【０００６】
これらの召し合わせ構造は、両開き扉を構成する２枚の扉のどちらが先に閉じられても、両開き扉を閉鎖することができるようにすることを目的とし、特許文献１に記載の召し合わせ構造は、両突出部が重なり合う方向にコイルバネ等によって常に付勢される構成を備え、特許文献２に記載の召し合わせ構造は、召し合わせ材がスプリング丁番を介して回動可能に扉に取付けられる構成を備えている。
【０００７】
ここで、映画館、コンサートホール等で使用される両開き扉は、室内方向および室外方向の両方向に開けることができる構造を備えている。
しかしながら、上記先行技術に記載されている召し合わせ構造は、室外方向および室内方向のいずれか一方向にしか開かない両開き扉を前提としているため、室内方向および室外方向の両方向に開けることができ構造の両開き扉には、適用することができないという問題があった。
【０００８】
本発明は、このような問題を解決するためになされたものであり、室内方向および室外方向の両方向に開けることができる両開き扉に適用可能な召し合わせ構造を提供することを目的としている。
また、このような両開き扉の召し合わせ構造に使用されるシール部材を提供することも目的とする。
【課題を解決するための手段】
【０００９】
本発明によれば、
室内外両方向に開閉可能な両開き扉の召し合わせ構造であって、
基端側で回動自在に支持される２枚の扉と、
前記２枚の扉の先端部に設けられた召し合わせ部とを備え、
前記召し合わせ部が、前記扉の先端部に前記扉の全高にわたって上下方向に延びるように取付けられた強磁性材料の板体と、該板体に沿って取付けられた細長いシール部材とを備え、
前記シール部材は、矩形の閉断面形状を有する基部と、可撓性材料で形成され前記基部の一側面から延びるフィンと、前記基部に収容された磁石とを備え、前記基部に収容された磁石の磁力により、前記基部の一側面と反対側の他側面が前記板体に吸着されることにより前記板体に取付けられ、
前記フィンは、前記２枚の扉が閉鎖状態にあるとき互いの先端部分が係合し、前記２枚の扉の先端部の間の間隙を塞ぐように構成されている、
ことを特徴とする両開き扉の召し合わせ構造が提供される。
【００１０】
このような構成によれば、両開き扉の閉鎖時には、両扉のシール部材のフィンが重なり合うことによって、２枚の扉の先端部間の隙間がふさがれる。また、シール部材は、基部に収容された磁石の作用で扉に取付けられているので、扉の開閉時に、フィンに先端部が重なりあう他方の扉のフィンから扉の回転方向と逆方向の力が加わると、シール部材の基部が板体から一時的に浮き上がることによって、他方の扉のフィンからの力が逃がされる。この結果、扉の開閉が円滑に行われる。
【００１１】
本発明の他の好ましい態様によれば、前記基部とフィンが一体成形されている。
【００１２】
本発明の他の好ましい態様によれば、
前記扉の先端面に、前記扉の全高にわたって上下方向に延び、前記扉の先端側に向かって開口する開口部を有する断面矩形の凹溝が形成され、
該凹溝の奥壁に、前記板体が取付けられ、
前記シール部材は、前記基部が前記凹溝内に収容され、前記フィンが前記開口から突出するように配置されている。
【００１３】
本発明の他の好ましい態様によれば、前記開口部の幅が、前記シール部材の基部の幅より小さく設定されている。
このような構成によれば、両開き扉を開くときに、シール部材が凹溝内に確実に保持される。
【００１４】
本発明の他の好ましい態様によれば、
基端側で回動自在に支持される２枚の扉を室内外両方向に開閉可能な両開き扉の召し合わせ構造に用いられるシール部材であって、矩形の閉断面形状を有する基部と、可撓性材料で形成され前記基部の一側面から延びるフィンと、前記基部に収容された磁石とを備え、前記基部の一側面と反対側の他側面は、前記磁石の磁力により、前記扉の先端部に前記扉の全高にわたって上下方向に延びるように取付けられた強磁性材料の板体に吸着されることにより当該板体に取付けられ、前記フィンは、前記２枚の扉が閉鎖状態にあるとき互いの先端部分が係合し、前記２枚の扉の先端部の間の間隙を塞ぐように構成されている、
ことを特徴とする両開き扉の召し合わせ構造用シール部材が提供される。
【発明の効果】
【００１５】
本発明によれば、室内方向および室外方向の両方向に開けることができる両開き扉に適用可能な召し合わせ構造が提供される。
また、このような両開き扉の召し合わせ構造に使用されるシール部材が提供される。
【図面の簡単な説明】
【００１６】
【図１】本発明の一実施形態の両開き扉の召し合わせ構造を示す横断面図である。
【図２】本発明の一実施形態による両開き扉の召し合わせ構造に使用されるシール部材の斜視図である。
【図３】本発明の一実施形態による両開き扉の召し合わせ構造の動作を説明するための部分拡大図である。
【図４】本発明の一実施形態による両開き扉の召し合わせ構造の動作を説明するための部分拡大図である。
【発明を実施するための形態】
【００１７】
以下、添付図面を参照して本発明の好ましい実施形態の両開き扉の召し合わせ構造について説明する。図１は、本発明の好ましい実施形態の召し合わせ構造が設けられている両開き扉を示す横断面図である。
【００１８】
図１に示されているように、本発明の好ましい実施形態の召し合わせ構造が設けられている両開き扉１は、長方形状の表面および裏面を有する厚板状の２枚の扉２ａ、２ｂを備えている。各扉２ａ、２ｂは、室内方向（矢印Ａ方向）および室外方向（矢印Ｂ方向）のいずれの方向にも回動可能に基端部（図示せず）で支持されている。また、各扉２ａ、２ｂは、先端部に設けられた召し合わせ部４ａ、４ｂを備えている。
【００１９】
召し合わせ部４ａ、４ｂは、各扉２ａ、２ｂの先端面に、各扉２ａ、２ｂの全高にわたって上下方向に延びるように設けられ、図１に示されているように、各扉２ａ、２ｂの先端部間の隙間を塞ぐように構成されている。
【００２０】
各召し合わせ部４ａ、４ｂは、スチール等の強磁性材料の板体６ａ、６ｂと、シール部材８ａ、８ｂとを備えている。板体６ａ、６ｂは、扉２ａ、２ｂの高さと略等しい長さを有し、扉２ａ、２ｂの先端面に扉の全高にわたって上下方向に延びるように設けられた凹溝１０ａ、１０ｂの奥壁１２ａ、１２ｂ（基端側壁）に固定されている。凹溝１０ａ、１０ｂは、各扉２ａ、２ｂの先端側面に配置され、上下方向に延びる細長い開口部１４ａ、１４ｂを有する矩形閉断面を有する部材１６ａ、１６ｂによって構成されている。
【００２１】
図２は、シール部材８ａ、８ｂの構成を示す模式的な斜視図である。図２に示されているように、シール部材８ａ、８ｂは、矩形の閉断面形状を有する基部１８ａ、１８ｂと、基部１８ａ、１８ｂの一側面から外方に延びる薄板状のフィン２０ａ、２０ｂと、基部１８ａ、１８ｂの閉断面部に収容された断面矩形の棒状の永久磁石２２ａ、２２ｂとを備えている。基部１８ａ、１８ｂとフィン２０ａ、２０ｂは、シリコンゴム等の可撓性材料によって、一体的に形成されている。
【００２２】
シール部材８ａ、８ｂは、基部１８ａ、１８ｂに収容された永久磁石２２ａ、２２ｂの磁力により基部１８ａ、１８ｂのフィン２０ａ、２０ｂが形成された一側面２４ａ、２４ｂと反対側の他側面２６ａ、２６ｂが板体６ａ、６ｂに吸着されることにより、凹溝１０ａ、１０ｂ内で扉２ａ、２ｂに対して着脱可能に取付けられている。尚、シール部材８ａ、８ｂの基部１８ａ、１８ｂの幅Ｗ１は、凹溝の開口部の幅Ｗ２より大きく設定されている。
【００２３】
フィン２０ａ、２０ｂは、シール部材８ａ、８ｂが凹溝１０ａ、１０ｂ内に取付けけられたとき、先端側部分が開口部１４ａ、１４ｂから外方（先端側方向）に向かって突出し、２枚の扉２ａ、２ｂが閉鎖状態にあるときには、図１に示されているように、互いの先端部分が係合し（重なりあい）、２枚の扉２ａ、２ｂの先端部の間の間隙が塞ぐように構成されている。
【００２４】
次に、図面に沿って、本実施形態の召し合わせ部の動作を説明する。図３乃び図４は、本実施形態の召し合わせ部の動きを示す拡大図である。
【００２５】
図１に示す状態では、２枚の扉２ａ、２ｂのフィン２０ａ、２０ｂは、２枚の扉２ａ、２ｂが閉鎖状態にあるとき、互いの先端部分が係合し（重なりあい）、詳細には、左側の扉２ａ内のシール部材８ａのフィン２０ａが室外側に、右側の扉２ｂ内のシール部材８ｂの２０ｂｂが室内側に配置された状態で、２枚の扉２ａ、２ｂの先端部の間の間隙を塞いでいる。このとき、２枚の扉２ａ、２ｂのシール部材８ａ、８ｂは、それぞれの基部１８ａ、１８ｂに収容されている永久磁石２２ａ、２２ｂの磁力によって、基部１８ａ、１８ｂの他側面２６ａ、２６ｂ（フィン２０ａ、２０ｂが形成された一側面２４ａ、２４ｂと反対側の面）が、完全に板体６ａ、６ｂに密着した状態となっている。
【００２６】
この状態から、左側の扉２ａが、室内方向（矢印Ａ方向）に開かれるとき、左側の扉２ａが矢印Ａ方向に回転し始めると、左側の扉２ａのシール部材８ａのフィン２０ａは、右側の扉２ｂのシール部材８ｂのフィン２０ｂによって、室外方向に押圧される。
【００２７】
このとき、フィン２０ａに対する押圧力によってシール部材１９ａに作用するモーメントが、永久磁石２２ａと板体６ａとの間の磁力による吸着力を上回ると、左側の扉２のシール部材８ａは、フィン２０ａを撓ませながら基部１８ａの室内側部分が板体６ａから浮き上がり、室外方向に回動する。さらに、その反作用で、右側の扉２ｂのシール部材８ｂも、フィン２０ｂを撓ませながら基部１８ｂの室外側部分が板体６ｂから浮き上がり、室内方向に回動する。
【００２８】
このようなシール部材８ａ、８ｂの回動の結果、フィン２０ａ、２０ｂの係合が外れ易くなり、左側の扉２ａを室内方向に回動させるために必要な力が軽減される。
【００２９】
左側の扉２ａが、さらに、回転すると、フィンフィン２０ａ、２０ｂ同士の係合が外れ、各シール部材８ａ、８ｂは永久磁石２２ａ、２２ｂと板体６ａ、６ｂとの間に作用する磁力によって、基部１８ａ、１８ｂの他側面２６ａ、２６ｂ板体６ａ、６ｂに吸着され、初期位置に復帰する（図４）。
【００３０】
このようなシール部材８ａ、８ｂの回動は、右側の扉２ｂを室外方向（Ｂ方向）に開く場合も同様に起こる。
【００３１】
以上のように本実施形態によれば、両方向に開閉可能な両開き扉間の隙間を確実に塞ぐことができると共に、両方向への開閉に必要な力を軽減することができる召し合わせ構造が提供される。
【００３２】
本発明は、以上の実施の形態に限定されることなく、特許請求の範囲に記載された発明の範囲内で種々の変更が可能であり、それらも本発明の範囲内に包含される。
上記実施形態では、矢印Ａ方向が室内方向であったが、矢印Ａ方向が室外方向となるように扉が取付けられていてもよい。
【符号の説明】
【００３３】
１：両開き扉
２ａ、２ｂ：扉
４ａ、４ｂ：召し合わせ部
６ａ、６ｂ：板体
８ａ、８ｂ：シール部材
１０ａ、１０ｂ：凹溝
１８ａ、１８ｂ：基部
２０ａ、２０ｂ：フィン
２２ａ、２２ｂ：永久磁石
【図１】
0005422299.tif 000002
【図２】
0005422299.tif 000003
【図３】
0005422299.tif 000004
【図４】
0005422299.tif 000005